(57)【要約】  バッグ（１）は、第１の壁部及び第２の壁部（１０、２０）と、第１の壁部及び第２の壁部（１０、２０）にそれぞれ接続されるとともに各々が閉鎖要素（３４）を含んでいる第１の支持ウェブ及び第２の支持ウェブ（３０、３２）を有する閉鎖センブリ（３）とを備え、第１の支持ウェブ（３０）は、第１の支持ウェブ（３０）とバッグ（１）の第１の壁部（１０）との間に前記バッグ（１）の外側からの少なくとも１つの通口（４０）を生じるように、第１の支持ウェブの長さに亘ってバッグ（１）の第１の壁部（１０）に断続的に接続されており、通口（４０）は、バッグ（１）の壁部（１０、２０）が離れるように動かされたときに閉鎖要素（３４）の相対的な局部の向きを変化させるように第１の支持ウェブ（３０）の局部の変形を可能にして閉鎖要素（３４）の分離を容易化する。
2018512342.tif 000002
【特許請求の範囲】
【請求項１】
バッグ（１）であって、
前記バッグ（１）の側部及び底部（２）を画定するように互いに接続された第１の壁部及び第２の壁部（１０、２０）と、
前記第１の壁部及び前記第２の壁部（１０、２０）にそれぞれ接続されるとともに各々が相補的な閉鎖要素（３４）を含んでいる第１の支持ウェブ及び第２の支持ウェブ（３０、３２）を有する閉鎖センブリ（３）と、
を備えたものにおいて、
前記第１の支持ウェブ（３０）は、前記第１の支持ウェブ（３０）と前記バッグ（１）の前記第１の壁部（１０）との間に前記バッグ（１）の外側からの少なくとも１つの通口（４０）を生じるように、前記第１の支持ウェブの長さに亘って前記バッグ（１）の前記第１の壁部（１０）に断続的に接続されており、前記通口（４０）は、前記バッグ（１）の前記壁部（１０、２０）が離れるように動かされたときに前記閉鎖要素の相対的な局部の向きを変化させるように前記第１の支持ウェブ（３０）の局部の変形を可能にして前記相補的な閉鎖要素（３４）の分離を容易化することを特徴とするバッグ（１）。
【請求項２】
請求項１に記載のバッグ（１）であって、
前記第１の支持ウェブ（３０）は上端及び下端を有し、前記下端は前記上端よりも前記バッグ（１）の前記底部（２）寄りにあり、前記上端は前記通口（４０）を生じるように前記バッグ（１）の前記第１の壁部（１０）に断続的に接続されているバッグ（１）。
【請求項３】
請求項２に記載のバッグ（１）であって、
前記第１の支持ウェブ（３０）の前記上端は、第１の区間（Ａ）に沿って前記第１の壁部に連続的に固定されているとともに第２の区間（Ｂ）に沿って前記第１の壁部（１０）から連続的に分離されており、
前記第１の支持ウェブ（３０）の前記下端は、その高さの全体または一部に亘って、前記第２の区間（Ｂ）に沿って前記第１の壁部（１０）に連続的に固定されているバッグ（１）。
【請求項４】
請求項２または請求項３に記載のバッグ（１）であって、
前記第１の支持ウェブ（３０）の前記下端は、前記バッグ（１）の前記側部間において前記第１の壁部（１０）に連続的に接続されているバッグ（１）。
【請求項５】
請求項２乃至請求項４のいずれか１つに記載のバッグ（１）であって、
前記第１の支持ウェブ（３０）は下部（３０ｂ）及び上部（３０ａ）に分割されており、前記下部（３０ｂ）は前記上部（３０ａ）よりも前記底部（２）寄りにあるとともに前記閉鎖要素（３４）を支持し、前記第１の支持ウェブ（３０）の前記上部（３０ａ）は、前記通口（４０）を生じるように前記第１の壁部（１０）に断続的に接続されているバッグ（１）。
【請求項６】
請求項１乃至請求項５のいずれか１つに記載のバッグ（１）であって、
前記第１の支持ウェブ（３０）は下部（３０ｂ）及び上部（３０ａ）に分割されており、前記下部（３０ｂ）は前記上部（３０ａ）よりも前記底部（２）寄りにあるとともに前記閉鎖要素（３４）を支持し、前記第１の支持ウェブ（３０）の前記上部（３０ａ）は、前記通口（４０）を生じるように局部的に欠切されているバッグ（１）。
【請求項７】
請求項１乃至請求項６のいずれか１つに記載のバッグ（１）であって、
前記通口（４０）は、前記バッグ（１）の前記側部間を亘る方向に、１２ｍｍと３５ｍｍとの間に含まれる長さを有するバッグ（１）。
【請求項８】
請求項１乃至請求項７のいずれか１つに記載のバッグ（１）であって、
前記第２の支持ウェブ（３２）は、前記相補的な閉鎖要素（３４）が係合しているときにおける前記バッグ（１）の前記壁部（１０、２０）の引張りが前記相補的な閉鎖要素（３４）の周りの前記支持ウェブ（３０、３２）の回転を生じるように、前記第２の壁部（２０）にヒンジ止めされているバッグ（１）。
【請求項９】
請求項８に記載のバッグ（１）であって、
前記第２の支持ウェブ（３２）は、前記第２の支持ウェブ（３２）が前記第２の壁部（２０）にヒンジ止めされるように、前記閉鎖要素（３４）と重なり合わない、かつ前記閉鎖要素（３４）に対してずれた局所領域（３３）において、前記第２の壁部（２０）上に固定されているバッグ（１）。
【請求項１０】
請求項９に記載のバッグ（１）であって、
前記第２の支持ウェブ（３２）は下部（３２ｂ）及び上部に分割されており、前記下部は前記上部（３２ａ）よりも前記底部（２）寄りにあるとともに前記閉鎖要素（３４）を支持し、前記第２の壁部（２０）上で前記第２の支持ウェブ（３２）が固定された前記局所領域（３３）は、前記第２の支持ウェブ（３２）の前記下部（３２ｂ）の一部をなすバッグ（１）。
【請求項１１】
請求項１０に記載のバッグ（１）であって、
前記第２の支持ウェブ（３２）の前記上部（３２ａ）は、前記閉鎖要素（３４）の高さより小さい高さを有するバッグ（１）。
【請求項１２】
請求項８に記載のバッグ（１）であって、
前記第１の支持ウェブ、前記第２の支持ウェブ（３２）は、それぞれ第１の延長ウェブ、第２の延長ウェブ（１２、１４）によって第１の壁部、第２の壁部（１０、２０）に接続されており、前記支持ウェブ（３０、３２）の少なくとも一方は前記支持ウェブの前記上端から離間したところにおいて前記延長ウェブ（１２、１４）に固定されているバッグ（１）。
【請求項１３】
請求項１２に記載のバッグ（１）であって、
前記少なくとも一方の支持ウェブ（３０、３２）は、前記支持ウェブ（３０、３２）によって保持された前記相補的な閉鎖要素（３４）に近接する領域において対応する前記延長ウェブ（１２、１４）に固定されているバッグ（１）。
【請求項１４】
請求項８に記載のバッグ（１）であって、
さらに、第１のパネル（１７）及び第２のパネル（１８）を有する相補的な壁部（１６）を備え、前記第１のパネル（１７）は前記バッグ（１）の前記口の近傍において前記第２の壁部（２０）に接続されている一方、前記第２のパネル（１８）は前記第１の壁部（１０）に接続されており、前記相補的な壁部（１６）は、前記第１のパネル（１７）が前記底部（２）のほうに延伸するように、折返し（１）に沿って前記第１のパネル（１７）と前記第２のパネル（１８）との間において折り返されており、
前記第１の支持ウェブ（３０）及び前記第２の支持ウェブ（３２）は前記第１の壁部（１０）上に固定されており、
さらに、前記第２の支持ウェブ（３２）は前記相補的な壁部（１６）の前記第２のパネル（１８）上に固定されているバッグ（１）。
【請求項１５】
請求項１４に記載のバッグ（１）であって、
前記相補的な壁部（１６）の前記第２のパネル（１８）は、前記第２の支持ウェブ（３２）と前記折返し（１９）との間において、前記第１の壁部（１０）の前記側部の近傍に固定されているバッグ（１）。
【請求項１６】
請求項１乃至請求項１５のいずれか１つに記載のバッグ（１）であって、
前記相補的な閉鎖要素（３４）はそれぞれ、少なくとも１つの相補的プロファイル、好ましくは少なくとも２つの相補的プロファイル、例えば３つから６つまでの相補的プロファイルを備えるバッグ（１）。
【請求項１７】
請求項１６に記載のバッグ（１）であって、
前記相補的プロファイル（３４）の全部または一部は、前記側部にほぼ平行な列設された変化部、典型的には列設された圧潰部を備えるバッグ（１）。
【発明の詳細な説明】
【技術分野】
【０００１】
本発明は、包装バッグの分野に関する。
【０００２】
より詳細には、本発明は、例えば非限定的な、相補的プロファイルの形態をなす開閉手段を備える包装バッグの分野に関する。
【背景技術】
【０００３】
この用途の多くの包装バッグ及び多くの閉鎖装置がこれまでに提案されている。
【０００４】
この用途で公知である大抵の閉鎖装置は、例えばオス／メス型またはベルベット／フック型や、さらには各支持ウェブによって支持された相補的フック型の、２つの相補的プロファイルを備える。
【０００５】
特に、フランス国特許公開ＦＲ２６２８０６７号明細書（特許文献１）は、それぞれ壁部に固定された各支持ウェブによって支えられた２つの相補的な閉鎖プロファイルを有する２つの主壁を備えたバッグを提案している。壁部上の支持ウェブの拘持領域は、オスプロファイルとは重ね合わせられずにオスプロファイルからずれていることにより、拘持領域において壁部上の対応する支持ウェブをヒンジ止めする。特許文献１に記載されたように、従来の構成は、バッグにかかる内部圧力が閉鎖プロファイルに作用することを防止し、閉鎖プロファイルを分離しやすくする。実際は、（バッグを開けるにあたり）バッグの壁部が分離することによって、拘持により形成されたヒンジ領域において支持ウェブの可能な枢動が生じ、閉鎖プロファイルが分離するおそれはない。
【０００６】
本構成に対応したバッグは既に相当に供給されており、当該バッグのユーザにバッグの内容物が容易にはこぼれ得ないことを保証するためにバッグを再度開けることが困難になっている。
【０００７】
また、フランス国特許公開ＦＲ２９６３９２７（特許文献２）には、ウェブを拘持する２つの領域を、蝶番式（ヒンジ止め式）のウェブの一方がバッグの内部のほうを向く一方で、他方のウェブがバッグの口のほうを向くように、対応する相補的プロファイルの片側から離間させて配置する、及び片側上に配置することが提案されている。
【０００８】
これらのバッグはバッグの壁部の内部応力及び外部応力によりいっそう耐えるようになり、この点で、最近では閉鎖装置またはバッグの壁部を損傷させずにバッグを開けるのが非常に困難であることが分かる。
【０００９】
しかし、場合によっては、バッグを損傷させずに開けてバッグの内容物に手を伸ばし、開けた後に確実にバッグを再度閉じることが可能であることが必要になり得る。
【００１０】
このようなバッグは、例えば、食洗機錠剤などの有毒製品の包装の分野に適用される。実際、バッグが使用と使用との間に閉じたままとなって特に子供がバッグの内容物に手を伸ばすことを防止し、親がバッグを損傷させるおそれを伴わずにバッグを何度も開けては閉めることの実現性を有し、また好ましくは連続した開閉がそれほどの困難を伴わないことをユーザに保証し得ることは重要である。
【先行技術文献】
【特許文献】
【００１１】
【特許文献１】ＦＲ２６２８０６７
【特許文献２】ＦＲ２９６３９２７
【発明の概要】
【００１２】
したがって、本発明の第１の目的は、例えば非限定的な、相補的プロファイルの形態をなす開閉手段を備え、当該開閉手段を容易に開けることを可能とする機構を有するバッグを提案することである。必要であれば、開手段がバッグの壁部の一方及び／または他方にヒンジ止めされている場合に、機構は、大人に、連結によって生じたヒンジ作用にかかわりなくバッグを開けさせなければならない。
【００１３】
このために、本発明は、バッグであって、
−  前記バッグの側部及び底部を画定するように互いに接続された第１の壁部及び第２の壁部と、
−  前記第１の壁部及び前記第２の壁部にそれぞれ接続されているとともに各々が相補的な閉鎖要素を含む第１の支持ウェブ及び第２の支持ウェブを有する閉鎖センブリと
を備えるバッグを提案する。
【００１４】
前記第１の支持ウェブは、この第１の支持ウェブと前記バッグの前記第１の壁部との間に、前記バッグの外側からの少なくとも１つの通口を生じるように、前記第１の支持ウェブの長さに亘って断続的に前記バッグの前記第１の壁部に接続されている。したがって、この通口は、バッグの壁部が離れるように動かされたときに閉鎖要素の相対的な局部の向きを変化させるように第１の支持ウェブの局部の変形を可能とし、相補的な閉鎖要素の分離に寄与する。
【００１５】
説明されるバッグの、好ましいが非限定的ないくつかの特徴は以下のとおりであって、個別にまたは組み合わせて採用されうる。
−  前記第１の支持ウェブは上端及び下端を有し、前記下端は前記上端よりも前記バッグの前記底部寄りにあり、前記上端は前記通口を生じるように前記バッグの前記第１の壁部に断続的に接続されている。
−  前記第１の支持ウェブの前記上端は、第１の区間に沿って前記第１の壁部に連続的に固定されているとともに第２の区間に沿って前記前記第１の壁部から連続的に分離されており、前記第１の支持ウェブの前記下端はその高さの全体または一部に亘って前記第２の区間に沿って前記第１の壁部上に連続的に固定されている。
−  前記第１の支持ウェブの前記下端は、前記バッグの前記側部間において連続的に前記第１の壁部に接続されている。
−  前記第１の支持ウェブは下部及び上部に分割されており、前記下部は前記上部よりも前記底部寄りにあるとともに前記閉鎖要素を支持し、前記第１の支持ウェブの前記上部は前記通口を生じるように前記第１の壁部に断続的に接続されている。
−  前記第１の支持ウェブは下部及び上部に分割されており、前記下部は前記上部よりも前記底部寄りにあるとともに前記閉鎖要素を支持し、前記第１の支持ウェブの前記上部は前記通口を生じるように局部的に欠切されている。
−  前記通口は、前記バッグの前記側部間を亘る方向に、１２ｍｍと３５ｍｍとの間に含まれる長さを有する。
−  前記第２の支持ウェブは、前記相補的な閉鎖要素が係合しているときにおける前記バッグの前記壁部の引張りが前記相補的な閉鎖要素の周りの前記支持ウェブの回転を生じるように、前記第２の壁部にヒンジ止めされている。
−  前記第２の支持ウェブは、前記第２の支持ウェブが前記第２の壁部にヒンジ止めされるように、前記閉鎖要素と重なり合わない、かつ前記閉鎖要素に対してずれた局所領域において前記第２の壁部上に固定されている。
−  前記第２の支持ウェブは下部及び上部に分割されており、前記下部は前記上部よりも前記底部寄りにあるとともに前記閉鎖要素を支持し、前記第２の支持ウェブが前記第２の壁部上で固定された前記局所領域は前記第２の支持ウェブの前記下部の一部をなす。
−  前記第２の支持ウェブの前記上部は前記閉鎖要素の高さよりも小さい高さを有する。
−  前記第１の支持ウェブ、前記第２の支持ウェブは、それぞれ第１の延長ウェブ、第２の延長ウェブによって前記第１の壁部、前記第２の壁部に接続されており、前記支持ウェブの少なくとも一方は前記支持ウェブの上端から離間したところにおいて前記延長ウェブに固定されている。
−  前記少なくとも一方の支持ウェブは、前記支持ウェブによって保持された前記相補的な閉鎖要素に対する近接領域において対応する前記延長ウェブに固定されている。
−  前記バッグは第１のパネル及び第２のパネルを有する相補的な壁部をさらに備え、前記第１のパネルは前記バッグの前記口の近傍において前記第２の壁部に接続されている一方、前記第２のパネルは前記第１の壁部に接続されており、前記第１のパネルが前記底部のほうに延伸するように、前記相補的な壁部は折返しに沿って前記第１のパネルと前記第２のパネルとの間に折り返されており、前記第１の支持ウェブ及び前記第２の支持ウェブ（３２）は前記第１の壁部上に固定されており、さらに前記第２の支持ウェブは前記相補的な壁部の前記第２のパネル上に固定されている。
−  前記相補的な壁部の前記第２のパネルは、前記第２の支持ウェブと前記折返しとの間において前記第１の壁部の前記側部の近傍に固定されている。
−  前記相補的な閉鎖要素はそれぞれ、例えば３つと６つとの間の相補的プロファイルからなる、少なくとも１つの相補的プロファイル、好ましくは少なくとも２つの相補的プロファイルを有する。
−  前記相補的プロファイルの全部または一部は、前記側部にほぼ平行な列設された変化部、典型的には列設された圧潰部を有する。
【００１６】
本発明の第２の目的は、バッグの壁部の内部応力及び外部応力に耐えることが可能であり、子供以外のユーザがバッグの口を容易に開閉することを可能として特に子供がバッグの内部に手を伸ばすことを防止し、ユーザがバッグを損傷させるおそれを伴わずにバッグを何度も開閉することを可能とする包装バッグを提案することである。
【００１７】
このために、本発明は、バッグであって、
−  側部によって互いに接続された上端及び下端を各々が備える第１壁部及び第２の壁部と、
−  各々が少なくとも１つの相補的プロファイルを有する第１の支持ウェブ及び第２の支持ウェブを備えた閉鎖装置であって、前記第１の支持ウェブ及び前記第２の支持ウェブは前記第２の壁部の前記側部の近傍に固定された、閉鎖装置と、
−  第１のパネル及び第２のパネルを備える相補的な壁部であって、前記第１のパネルは前記第２の壁部の前記上端に沿って固定されている一方で、前記第２のパネルは前記第１の壁部上に固定された、相補的な壁部と
を備えるバッグを提案する。
【００１８】
前記相補的な壁部は、前記第２のパネルが前記第１の壁部の前記上端のほうに延伸するように、折返しに沿って前記第１のパネルと前記第２のパネルとの間において折り返されている。また、前記第１の支持ウェブ及び前記第２の支持ウェブは前記第１の壁部上に固定されており、さらに、前記第２の支持ウェブは、前記相補的プロファイルが係合しているときに前記バッグの前記第１の壁部及び前記第２の壁部を離すように動かそうとする応力が前記第２の支持ウェブの周りの前記閉鎖装置の回転を生じるように、前記相補的な壁部の前記第２のパネル上に固定されている。
【００１９】
この第２の態様に係るバッグの、好ましいが非限定的ないくつかの特徴は以下のとおりであって、個別にまたは組み合わせて採用されうる。
−  前記相補的な壁部の前記第２のパネルは、前記第１の支持ウェブと前記折返しとの間において前記第１の壁部の前記側部の近傍に固定されている。
−  前記第２の支持ウェブは、少なくとも１つの相補的プロファイルを支持する上部と、前記相補的プロファイルから前記上部の延長上に延伸する下部とを備え、前記上部は前記下部よりも前記第１の壁部の前記上端寄りにあるとともに前記第２の支持ウェブは前記上部において前記第１の壁部上に固定されており、前記下部は前記第１の壁部に対して少なくとも部分的に自由である。
−  前記上部と前記第１の壁部との間の通口は、前記第２の支持ウェブの前記少なくとも１つの相補的プロファイルに対向して延伸する前記第１の壁部の領域へのアクセス領域をなすように形成されており、前記上部が前記第１の壁部の２つの前記側部間において３つの連続する区間、具体的には、前記第１の壁部の前記側部の一方と前記アクセス領域との間に延伸する第１の区間と、前記第１の区間と前記第３の区間との間において前記アクセス領域に沿って延伸する第２の区間と、前記アクセス領域と前記第１の壁部の他方の前記側部との間に延伸する第３の区間とに分割されている。
−  前記第２の支持ウェブは前記第１の区間及び前記第３の区間に沿って固定されている一方、残りは前記第２の区間に沿って前記第１の壁部に対し解放されていて前記通口を形成し、前記通口は前記上部と前記第１の壁部との間を通る。
−  前記相補的プロファイルと前記第１の壁部の前記上端との間を亘る前記第２の支持ウェブの一領域のみが前記第１の壁部上に固定されており、前記領域は前記第１の壁部に対し解放されている前記少なくとも１つの相補的プロファイルを支持し、前記上部は前記相補的プロファイルの端部まで前記第２の区間に沿って通るスロットを備える。
−  前記第２の区間に沿って前記少なくとも１つの相補的プロファイルから延伸する前記上部の領域は前記通口を形成するように欠切されており、前記通口は前記上部と前記第１の壁部との間を通る。
−  前記上部の前記第２の区間は、前記第２の支持ウェブの前記上部に沿って１．５センチメートルと３センチメートルとの間の、例えば１２ミリメートルと３５ミリメートルとの間の長さに亘って延伸する。
−  前記下部は、前記第２の区間に沿って前記第１の壁部に固定されて前記通口を閉じることが可能である。
−  前記第１の支持ウェブは、前記少なくとも１つの相補的プロファイルを支持する上部と、前記相補的プロファイルから前記上部の延長上に延伸する下部とを備え、前記上部は前記下部よりも前記第１の壁部の前記上端寄りにあり、前記上部が前記相補的プロファイルを越えないように、前記第１の支持ウェブの前記上部の高さは前記相補的プロファイルの高さにほぼ等しい。
−  前記相補的な壁部は全体が前記第２の壁部を合わせた単一の部材として形成されているとともに前記第２の壁部の延長上に延伸し、または前記相補的な壁部は前記第２の壁部の前記下端のほうに延伸するように前記第２の壁部の前記上端の近傍において前記第２の壁部に固着されており、または前記相補的な壁部は、例えば前記折返しに近接する領域において、前記第２の壁部の前記上端から離間したところにおいて前記第２の壁部上に固着されている。
−  前記第１の支持ウェブは前記相補的な壁部を合わせて全体が形成されており、または前記相補的な壁部上に固着されている。
−  前記第１の壁部及び前記第２の壁部は、前記折返しと前記第１の壁部及び前記第２の壁部の前記上端との間において前記第１の壁部及び前記第２の壁部の前記側部に沿って互いに溶着されている。
−  前記第２の支持ウェブは、前記第１の壁部の前記上端から離間したところにおいて固定されている。
−  前記折返しは、前記第２の壁部の前記上端から、３０ミリメートルと７０ミリメートルとの間に含まれる、典型的には４０ミリメートル程度の距離を置いて延伸する。
−  前記第１の支持ウェブ及び前記第２の支持ウェブはそれぞれ、少なくとも２つの、好ましくは少なくとも３つの、例えば３つから６つまでの相補的プロファイルを備える。及び／または
−  前記相補的プロファイルの全部または一部は、結合された前記壁部の前記上端に垂直な列設された変化部、典型的には列設された圧潰部を備える。
【図面の簡単な説明】
【００２０】
本発明の他の特徴、目的及び利点は、以下の詳細な説明から、また非限定的な例によって与えられた添付の図面を併せて、より明らかになる。
【００２１】
【図１】図１は、本発明に係る第１の実施形態の静止したバッグの横断面図を示す。
【図２】図２は、本発明に係る第２の実施形態の静止したバッグの横断面図を示す。
【図３】図３は、本発明に係る第３の実施形態の静止したバッグの横断面図を示す。
【図４ａ】図４ａは、本発明に係る第４の実施形態のバッグの斜視図である。
【図４ｂ】図４ｂは、図４ａの静止したバッグのＡ−Ａ軸による横断面図を示す。
【図４ｃ】図４ｃは、人がバッグの壁部に引張力を作用させて閉鎖装置の相補的プロファイルを分離するときの、図４ａのバッグのＡ−Ａ軸による横断面図を示す。
【図５】図５は、本発明に係るバッグを容易に開けることを可能とする実施形態の通口の詳細図である。
【図６ａ】図６ａは、ユーザが通常的にバッグを開けようとするときの、図５の容易に開けることを含む、本発明に係る第１の実施形態の変形実施形態のバッグの平面図である。
【図６ｂ】図６ｂは、図６ａに示されるＢ−Ｂ軸に沿った、図６ａのバッグの断面図である。
【図７】図７は、ユーザがユーザの親指の一方を通口に挿し込み、ユーザの親指の他方を第２の壁部沿いに配置するときの、図６ａに示されるＢ−Ａ軸に沿った、図６ａのバッグの断面図である。
【図８ａ】図８ａは、ユーザが通口を利用して閉鎖要素を分離しようとするときの、図６ａのバッグの平面図である。
【図８ｂ】図８ｂは、図７に示されるＢ−Ｂ軸に沿った、図８ａのバッグの断面図である。
【図９】図９は、閉鎖要素を分離するときの、図６ａのバッグの平面図である。
【図１０】図１０は、通口を用いて開いた後の、図５ａのバッグの斜視図である。
【図１１】図１１は、本発明に係る第５の実施形態のバッグの、バッグが静止しているときの断面図を示す。
【発明を実施するための形態】
【００２２】
バッグ（袋）１は、通常そうであるように、バッグ１の側部及び底部２を画定するように互いに接続された第１、第２の壁部１０、２０、及びバッグの底部２と反対側に広がる口を備える。
【００２３】
バッグ１は、折り返されて２つの辺部が溶着された単一のシートを用いて、または例えば２つのシートがシートの辺部において互いに溶着されるいくつかのシートを用いて作製可能であり、好ましくは稜線に沿って壁部を接合してバッグ１の側部及び底部２を形成する。
【００２４】
バッグ１は、さらに閉鎖センブリ３を備える。閉鎖センブリ３は口の近傍において延在する。
【００２５】
閉鎖センブリ３は、それぞれ第１、第２の壁部１０、２０に接続された第１、第２の支持ウェブ３０、３２を備える。各支持ウェブ３０、３２は、例えば相補的プロファイル型、ループ／フック（velours/crochet）のバンドなどの、少なくとも１つの相補的な閉鎖要素３４を支持する。
【００２６】
第１の支持ウェブ３０は上部３０ａ及び下部３０ｂを備え、上部３０ａは下部３０ｂよりもバッグ１の口寄りにある。また、下部３０ｂは閉鎖要素３４の全部または一部を支持する。
【００２７】
バッグ１の（２つの）壁部が離れるように動かされるときに閉鎖要素３４の相対的な局部の向きを変化させるように第１の支持ウェブ３０の局部の変形を可能として閉鎖センブリ３を開けることを容易にするために、この第１の支持ウェブ３０とバッグ１の第１の壁部１０との間にバッグ１の外側からの少なくとも１つの通口を生じるように、第１の支持ウェブ３０を、バッグ１の第１の壁部１０に第１の支持ウェブ３０の長さに亘って断続的に接続する。
【００２８】
特に、本構成は、バッグ１の壁部の少なくとも一方上にヒンジ止めされた閉鎖センブリ３のように、閉鎖センブリ３を開けるのが困難であるバッグ１について有利であるが、閉鎖センブリ３が通常のものである（ヒンジ止めされない）場合にも適用される。
実際、閉鎖センブリ３を開けるには、ユーザは、
−  ユーザの親指の一方をバッグ１の外側から、または口から導入して、好ましくは第２の支持ウェブ３２の閉鎖要素３４の近傍において、第２の壁部２０をつかむようにし、
−  バッグ１の口内にあるユーザの第２の親指を、第１の壁部１０と第１の支持ウェブ３０との間に形成された通口４０内に導入することを要する（図７を参照）。この位置において、支持ウェブは互いにほぼ平行であり、
−  第１の親指及び第２の親指によって、閉鎖センブリ３の平面にほぼ垂直に伸びる力（図８ａ及び図８ｂを参照）を当該壁部に作用させることによって（２つの）壁部が離れるように動かす（図８ｂに示す）ことを要する。
【００２９】
実際、通口４０は、（通口４０の高さに応じて）第１の支持ウェブ３０の閉鎖要素３４における力の作用点、またはさらには第１の支持ウェブ３０の下部の位置を特定する（図８ｂを参照）。このようにして、第２の支持ウェブ３２がヒンジ止めされている場合に、（２つの）壁部を離れるように動かす際に第１の支持ウェブ３０の裏側において第１の壁部１０をつかむと、閉鎖センブリ３の回転が制限されることによって、閉鎖要素３４への力の作用の方向が分離の方向に近付けられる。
【００３０】
比較として、図６ａ及び図６ｂに示すように、通常的にヒンジ（領域３１または３３）を備えるバッグ１をユーザが開けようとするときに壁部１０、２０に作用する引張力の作用は、閉鎖センブリを回転させ、この力の方向（図６ｂの矢印を参照）に整合させる、または閉鎖要素３４の分離の方向（当該分離の方向は支持ウェブ３０、３２の平面に垂直に延伸する）に対して垂直にすることである。この結果、閉鎖要素３４は係合したままであり、バッグ１が開くことを阻止する。
【００３１】
ここで、接続されることは、支持ウェブ３０、３２が、結合される壁部上に例えば溶着によって固着されるか、または当該壁部１０、２０と合わせて形成される（すなわち、全体が単一の部材として形成される）ことを意味する。溶着は、例えばポイントごとの、熱溶着式、超音波溶着、またはこれら２つ（連続して形成される）であり得る。
【００３２】
当然ながら、第１、第２の支持ウェブ３０、３２を、結合される壁部１０、２０に対して同一のまたは異なる方法に従って接続することが可能であり、例えば、第１の支持ウェブ３０を第１の壁部１０に固着する一方、第２の支持ウェブ３２を第２の壁部２０と合わせて形成することが可能であり、その逆の場合もある。
【００３３】
一実施形態において、通口４０がほぼ第１の支持ウェブ３０の高さに沿って延伸することにより、ユーザは第１の支持ウェブ３０の動きをより良好に阻止するようになる。
【００３４】
第１の支持ウェブ３０を、例えば、各々が第１の壁部１０上に溶着され、または溶着されていない第１の支持ウェブ３０の一部に対応したいくつかの連続する区間に分割することが可能である。
【００３５】
例えば、図５に示す実施形態において、第１の支持ウェブ３０を、
バッグ１の側部の一方と通口４０との間を亘る第１の区間Ａであって、第１の支持ウェブ３０が第１の壁部１０に接続されている第１の区間Ａと、
通口４０に沿って延伸する第２の区間Ｂであって、通口４０を生じるように第１の支持ウェブ３０が当該第１の支持ウェブの高さの少なくとも一部上において第１の支持ウェブ３０に接続されていない第２の区間Ｂと、
バッグ１の側部の他方と通口４０との間を亘る第３の区間Ｃであって、第１の支持ウェブ３０が第１の壁部１０に接続されている第３の区間Ｃとの、３つの区間Ａ、Ｂ、Ｃに分割することが可能である。
【００３６】
第１の支持ウェブ３０は、当該第１の支持ウェブの高さの少なくとも一部において第２の区間Ｂに沿って第１の壁部１０に固定されないことから、バッグ１の第１の壁部１０に、第１の支持ウェブ３０の長さに亘って断続的に十分に接続されている。
【００３７】
ここでは、長さは、閉鎖センブリ３の延伸方向に沿って伸びるディメンションであって、バッグ１の側部間を亘るディメンションを意味する。また、高さは、閉鎖センブリ３の延伸方向に垂直に伸びるディメンションであって、バッグ１の口と底部２との間を亘るディメンションを意味する。
【００３８】
バッグ１が、第１の支持ウェブ３０が当該第１の支持ウェブの高さの一部に亘って第１の壁部１０に接続されていない２つの離れた区間を含む、さらなる区間を含み得ることは明らかである。
【００３９】
一実施形態において、通口４０は第１の支持ウェブ３０の上部３０ａの高さ全体に亘って、または任意選択的に閉鎖要素３４の下の領域に至るまで延伸し得る。このために、第１の支持ウェブ３０の上部３０ａは、第１及び第３の区間Ａ、Ｃにおいて例えば溶着により第１の壁部１０に接続され得る一方、第２の区間Ｂに沿って解放されている（溶着されていない）。
【００４０】
変形例として、第１の支持ウェブ３０の上部３０ａは、第２の区間Ｂに局在するノッチを備え、第１及び第２の区間Ａ、Ｃに沿って第１の壁部１０に接続され得る。特に、当該ノッチは、第２の区間Ｂにおいて、第１の支持ウェブ３０の上部を切除することによって得ることが可能である。
【００４１】
一実施形態において、閉鎖センブリ３が容易に開くように、第１の支持ウェブ３０の下部３０ｂは、通口４０に対向して延伸する領域において当該下部の高さの全体または一部に亘ってバッグ１の第１の壁部１０に連続的に接続されている。通口４０の延長上における下部３０ｂのこの連続的な連結によって、第１の壁部１０により閉鎖要素３４に作用する分離の方向の力が増大し、これによって当該閉鎖要素の分離と閉鎖センブリを開くこととが容易になる。一実施形態において、第１の支持ウェブ３０の閉鎖要素３４の下にある、下部３０ｂの下部領域のみが第１の壁部１０に接続されている（図５を参照）。このようにして、ユーザはユーザの親指を閉鎖要素３４を越えて通口に導入することができ、閉鎖要素３４の分離を開始することが容易になる。
【００４２】
通常、図５に示す実施形態において、第１の支持ウェブ３０の下部３０ｂは、当該下部の高さの一部において第２の区間Ｂに沿って第１の壁部１０に接続されている（ハッチを施した領域４４を参照）。
【００４３】
任意選択的に、第１の壁部１０上における第１の支持ウェブ３０の下部３０ｂの拘持を強固にするために、さらに、（下部３０ｂが第１の壁部１０に溶着される高さとは無関係に）一方では第１及び第２の区間Ａ、Ｂ間の境界において、また他方では第２及び第３の区間Ｂ、Ｃ間の境界において、横断方向の溶着４２を行うことが可能である。第１の支持ウェブ３０の拘持を強固にすることに加えて、このような横断方向の溶着４２は、通口４０の存在にかかわらず、第２の区間Ｂにおけるバッグ１の外側と内側との間の封止を確保する。
【００４４】
第１及び第３の区間Ａ、Ｃの位置において、下部３０ｂを解放することが可能であり（図５に示すとおりであり、本図においてハッチを施した領域は第１の支持ウェブ３０の溶着部を表す）、または下部３０ｂを当該下部の高さの全体または一部に亘ってバッグ１の第１の壁部１０に連続的に接続することが可能であって、この場合には下部３０ｂがバッグ１の一方の側部から他方の側部にかけて第１の壁部１０に接続される。
【００４５】
親指、好ましくは大人の親指の通口４０を実現するために、通口４０は、バッグ１の側部間における閉鎖センブリ３の延伸方向に、１２ｍｍと３５ｍｍとの間に含まれる長さを有する。
【００４６】
一実施形態において、通口４０は、中央に達しないように、バッグ１の側部の一方に対するほうが側部の他方に対するよりも近い。このように、通口４０は、バッグ１が扱われるときに押圧されにくい。典型的には、通口４０の端部は、バッグ１の側部間の距離の１０％と３０％との間に含まれる距離だけ延伸し得る、すなわち、１００ｍｍの側部間長さを有するバッグ１について、通口４０の端部は側部の一方の１０ｍｍと３０ｍｍとの間に含まれる距離だけ延伸する。
【００４７】
一実施形態において、各閉鎖要素３４は、図３乃至図１１に示すように、いくつかの相補的プロファイル、好ましくは３つと６つとの間の、例えば５つの相補的プロファイルを備える。
【００４８】
実際、いくつかの相補的プロファイル３４の存在によって、当該相補的プロファイルが閉じることを確保するのに必要とされる厳密さが緩和されることにより、バッグ１の壁部１０、２０の外面からの閉鎖センブリ３の係合が容易になる。それによって、さらに、バッグ１の壁部１０、２０の内部応力及び外部応力に対するより良い耐性が確保される。
【００４９】
相補的プロファイル３４は、オス／メス、オス／オス（図に示すような、矢形のプロファイル）ベルベット／フック型、またはさらには相補的フック型からなり得る。
【００５０】
相補的プロファイル３４は、支持ウェブを横断する方向に相補的プロファイル３４に沿った一連の変化部を形成することによって、列設状態に変化し得る。列設された変化部は相補的プロファイル３４の局部の列設された変形からなり、特に、材料の除去を伴わない列設された圧潰部及び／または列設された切込み（すなわち、列設された圧潰部のみもしくは列設された切込みのみ、または列設された圧潰部と列設された切込みとの両方）、及び／または材料の除去を伴う列設されたノッチを含み得る。特に、列設された変化部の実施形態を記載した、本出願人名による国際特許出願ＰＣＴ／ＥＰ２０１２／０７３１８６号を参照し得る。
【００５１】
一実施形態において、相補的プロファイル３４の全部または一部は列設された変化部を含み得る。したがって、いくつかの相補的プロファイル３４は列設された変化部を含み得る一方、少なくとも１つの相補的プロファイル３４は変化のない状態であり得るとともに、その逆の場合もある。
【００５２】
次に、以下では、添付の図１乃至図４に関連して閉鎖センブリ３の例を説明する。しかし、これらは、本発明が、閉鎖要素３４を有する、バッグ１の壁部１０、２０上に形成された、または当該壁部１０、２０上に固着された支持ウェブ３０、３２を備える任意の閉鎖センブリ３に適用される範囲において、非限定的な実施形態である。
【００５３】
これらの実施形態において、第２の支持ウェブ３２は、相補的な閉鎖要素３４が係合しているときにバッグ１の壁部の引張りによって相補的な閉鎖要素３４の周りの支持ウェブ３０、３２の回転が生じるように、第２の壁部２０上にヒンジ止めされ得る。
【００５４】
図１に示す第１の実施形態によれば、第２の支持ウェブ３２は、第２の支持ウェブ３２が第２の壁部２０上にヒンジ止めされるように、閉鎖要素３４と重なり合わない、かつ当該閉鎖要素３４に対してずれた局所領域３３において、第２の壁部２０上に固定されている。このような拘持は、例えば本出願人名による特許文献１に記載されており、その内容は参照により本明細書に組み入れられる。
【００５５】
特許文献１に記載されたように、上記の配置は、バッグ１の内部圧力が閉鎖要素３４に作用することを防止し、閉鎖要素３４を分離しやすくする。実際、本配置に起因して、（バッグ１を開けるにあたり）バッグ１の壁部の分離によって、支持ウェブの拘持により形成されたヒンジ領域において支持ウェブの可能な枢動が生じ、閉鎖要素３４が分離するおそれはない。
【００５６】
特許文献１では、局所領域が第２の支持ウェブ３２の上部３２ａにおいて延伸することにより、バッグ１の内容物によって閉鎖センブリ３に作用する内部圧力に起因してバッグ１が開くおそれを回避する。
【００５７】
変形例として、局所領域が第２の支持ウェブ３２の下部３２ｂにおいて延伸し得ることにより、外側からバッグ１を開けることを防止する。さらに、特に子供によってバッグ１が開き得る可能性を低減するために、第２の支持ウェブ３２の上部３２ａの高さを低減し得る。このようにして、第２の支持ウェブ３２をつかむことを不可能とし、通口４０の使用を必要とし得る。例えば、第２の支持ウェブ３２の高さを閉鎖要素３４の高さより小さくし得る。一実施形態において、第２の支持ウェブの上部の高さを１ｍｍ以下とし得る。
【００５８】
図２に示すさらに他の変形例（第２の実施形態）によれば、２つの支持ウェブ３０、３２は、局所領域３１、３３において、正面で壁部１０、２０に接続され得る。ヒンジ止めされたウェブの一方（ここでは第１の支持ウェブ３０）がバッグ１の内部のほうを向く一方、他方のヒンジ止めされたウェブ（ここでは第２の支持ウェブ３２）が当該バッグの口のほうを向くように、局所領域３１、３３は、それぞれ閉鎖の相補的な要素３４の片側にある、支持ウェブ３０、３２のそれぞれの反対側部分（ここでは上部３０ａ及び下部３２ｂ）上に配置され得る。このような構成は、例えば本出願人名による特許文献２に記載されており、その内容は参照によって本明細書に組み入れられ、図２に示される。これに代えて、局所領域３１、３３を、正面において延伸する対応する支持ウェブ３０、３２の部分上に、すなわちウェブ３０、３２の上部３０ａ、３２ａ上または当該ウェブの下部３０ｂ、３２ｂ上に配置し得る。
【００５９】
図３に示す第３の実施形態によれば、第１、第２の支持ウェブ３０、３２は、それぞれ第１、第２の延長ウェブ１２、１４によって第１、第２の壁部１０、２０に接続され、支持ウェブ３０、３２の少なくとも一方が、当該支持ウェブの上部３０ａ、３２ａから離間したところにおいて延長ウェブに固定され得る。このような拘持は、例えば本出願人名によるフランス国特許公開ＦＲ１４５８２８８に記載されており、その内容は参照により本明細書に組み入れられる。
【００６０】
上記ＦＲ１４５８２８８において、支持ウェブ３０、３２は、当該支持ウェブ３０、３２によって保持された相補的な閉鎖要素３４に対する近接領域において、対応する延長ウェブ１２、１４に固定され得る。変形実施形態において、２つの支持ウェブ３０、３２はそれぞれ、関連する延長ウェブ１２、１４に接続されている。
【００６１】
図４ａ乃至図４ｃに示す第４の実施形態によれば、さらに、バッグ１は、第１のパネル１７及び第２のパネル１８を有する相補的な壁部１６を備える。相補的な壁部１６の第１のパネル１７はバッグ１の口の近傍において第２の壁部２０に接続されている一方、第２のパネル１８は第１の壁部１０に接続されている。相補的な壁部１６は、全体がバッグ１の第２の壁部２０と合わせて単一の部材として形成され得る、または変形例として、バッグ１の底部に向かって延伸するように、当該相補的な壁部の上端の近傍において当該第２の壁部２０上に固着されており、またはさらに他の変形例によれば、例えば折返しに対する近傍領域において、当該相補的な壁部の上端から離間したところにおいて当該第２の壁部２０上に固着されている。相補的な壁部１６は、第２のパネル１８が口のほうに延伸するように、折返し１９に沿って第１のパネル１７と第２のパネル１８との間において折り返されている。また、第１の支持ウェブ３０は第２の壁部２０上に固定されており、第２の支持ウェブ３２は相補的な壁部１６の第２のパネル１８上に固定されている。より詳細には、第１の支持ウェブ３０及び第２の支持ウェブ３２は第１の壁部１０上に固定されており、さらに第２の支持ウェブ３２は相補的な壁部１６の第２のパネル１８上に固定されており、相補的プロファイル３４が係合しているときにバッグ１の第１及び第２の壁部１０、２０を離れるように動かすことに由来する応力によって、第２の支持ウェブ３２の周りの閉鎖装置の回転が生じるようになっている。
【００６２】
本構成は、幼い子供によってバッグが開くおそれと、バッグ１の内容物により閉鎖装置に作用する内部応力に起因してバッグ１が不意に開くおそれとを劇的に低減する。実際、バッグ１の上端、または支持ウェブとバッグ１の底部との間の壁部を離れるように動かす作用は、配置されて第１の壁部１０上の第１の支持ウェブ３０を拘持する相補的な壁部１６の存在に起因して、閉鎖装置の支持ウェブ３０、３２を枢動させて壁部への力の作用の軸（概して水平）に整合させることである。このように、支持ウェブ３０、３２への任意の付加的な力は支持ウェブ３０、３２の平面内において作用し、当該平面に対して垂直ではなくなっている。
【００６３】
一実施形態において、相補的な壁部１６の第１のパネル１７は、バッグ１の内部に向かって延伸する。任意選択的に、相補的な壁部１６の第１のパネル１７は、２つの溶着線１７ａに沿って第２の壁部２０の側部上に溶着され得る（図４ａを参照）。
【００６４】
相補的な壁部１６の第２のパネル１８は、支持ウェブ３０、３２において第１の壁部１０の側部上に固定されている。
【００６５】
ここで、相補的な壁部１６の第２のパネル１８は、さらに、２つの溶着線１６ａに沿って、第２の支持ウェブ３２の下部３２ｂと折返し１９（図４ａを参照）との間において第１の壁部１０の側部上に溶着されている。したがって、本実施形態において、第２の支持ウェブ３２は折返し１９から離間して延伸し、相補的な壁部１６の第１のパネル１７に対向して延伸する第２の壁部２０の一部上には固定されていない。
【００６６】
本構成が、図４ｃに示すように、第２の壁部２０の一部を第１の壁部１０に対向する部分に整合させることを、ユーザがバッグ１の内部に手を伸ばそうとバッグ１の当該壁部の上端を引っ張るときに可能とする利点を有することは明らかである。本構成において、力は主に、第１の壁部１０の側部上に固定された支持ウェブ３０、３２の端部に作用し、さらに力の僅かな部分が、当該ウェブ３０、３２の平面内において、第２の支持ウェブ３２の下部３２ｂと第１の支持ウェブ３０の上部３０ａとに作用する。しかし、このような力によっては、相補的プロファイル３４は閉鎖装置から分離しにくい。
【００６７】
本構成において、第１及び第２の壁部１０、２０は、図４ａに示すように、当該壁部の下端と折返し１９との間において、当該壁部の側部に沿って互いに固定され得る。
【００６８】
変形例として、第１の壁部１０及び第２の壁部２０は、溶着により、または接着により、当該壁部の側部に沿って当該壁部の高さ全体に亘って、すなわちバッグの底部から当該壁部の上端に至るまで、互いに接合され得る。本変形例の使用において、第１及び第２の壁部１０、２０の上端を引っ張ることによってバッグ１を開けることは、壁部１０、２０の上端が離れる動きが相補的な壁部１６の枢動、したがって相補的プロファイル３４に作用し得る力を制限するように起こる可能性があって、よりいっそう困難である。
【００６９】
図４ａ乃至図４ｃの例において、第１の支持ウェブ３０は当該第１の支持ウェブの上部３０ａのみにおいて第１の壁部１０に固定されており、当該第１の支持ウェブの下部３０ｂは第１の壁部１０に対して解放された状態にある。実際に、本構成は、バッグ１の壁部１０、２０が離れるように動くときに第１の支持ウェブ３０の枢動を可能にすることによって、閉鎖装置のヒンジ作用を高める。
【００７０】
また、第２の支持ウェブ３２の上部３２ａの高さは、当該上部３０ａが相補的プロファイル３４を越えないものとなっている（例えば、図４ｂ、図４ｃ、及び図１１に示す）。つまり、相補的プロファイル３４は支持ウェブ３２の端部まで及ぶ。
【００７１】
相補的な壁部１６の存在と、壁部１０、２０の上端から離間したところにおける閉鎖装置の拘持とによって、閉鎖装置はバッグ１の口のところではなくバッグ１の内部へとずらされ、さらには子供が支持ウェブ３０、３２をつかもうとしないでバッグ１の壁部１０、２０をつかむ傾向が強まること、またバッグ１が台の上に置かれているときに子供が閉鎖装置を見つけるおそれが低減することは明らかである。
【００７２】
さらに、この傾向は、（バッグ１が静止している場合に）折返し１９が口から大人の親指の長さ程度の距離ｄ、または３０ミリメートルと７０ミリメートルとの間に含まれる、典型的には２０センチメートルの幅を有するバッグ１について４０ミリメートル程度の距離ｄだけ延伸するように、閉鎖装置を調整することによって強化され得る（図１１を参照）。これで、大人には自分の親指を折返し１９の底部に置くことによって、バッグ１を開けることに困難が生じないものとなるのに対して、幼い子供には、自分の手が小さすぎて自分の親指を折返し１９内に、及び通口４０内に導入することに困難が生じるものとなる。したがって、子供は壁部１０、２０の上端しかつかむことができず、これによってはバッグ１は開かない。
【００７３】
このような拘持は、例えば本出願人名によるフランス国特許公開ＦＲ１５５３１４３号明細書に記載されており、その内容は参照によって本明細書に組み入れられる。
上記ＦＲ１５５３１４３において、相補的な壁部１６の第２のパネル１８は、さらに、単に口を引っ張ることによってバッグ１を開けることがより困難となるように、第２の支持ウェブ３２と折返し１９との間において、第１の壁部１０の側部の近傍に固定され得る。
【００７４】
図１１は、第５の実施形態のバッグ１を示す。
【００７５】
この第５の実施形態は、相補的な壁部１６が第２の壁部２０上に固着される点においてのみ、図４ａ乃至図４ｃに示す例と相違する。したがって、第４の実施形態に関連して説明された他の特徴は、この第５の実施形態に準用される。
【００７６】
ただし、第２の壁部２０は、折り返されて相補的な壁部を形成する必要がないことから、第１の壁部１０の長さと同様の長さとすることが可能である。一方、相補的な壁部１６は、バッグ１の口のほうに延伸するように、第１のパネル１７と第２のパネル１８との間において、折返し１９に沿って折り返されている。
【００７７】
したがって、本実施形態において、第１のパネル１７は、さらに、当該第２の壁部の上端と折返し１９との間において第２の壁部２０に沿って延伸する一方、第２の支持ウェブ３２を備える第２のパネル１８は、折返し１９から相補的な壁部１６の自由端まで延伸する。
【００７８】
本実施形態とは無関係に、第２の支持ウェブ３２が相補的な壁部１６上に固着され得ることは明らかである。
【００７９】
また、既に示したように、第２の支持ウェブ３２の上部３２ａは、相補的プロファイル３４を越えて延伸することができない。つまり、相補的プロファイル３４は第２の支持ウェブ３２の端部に至るまで延伸することが可能である。
【００８０】
したがって、得られるバッグ１は、バッグ１の壁部１０、２０の内部応力（バッグ１の内容物の容積に起因する）及び外部応力（大人または子供といった人による口２への動作に起因する）に耐え、大人によってさえ、（壁部１０、２０の上端１０ｃ、２０ｃを引っ張ることによって）バッグ１を通常的に開けることを一切防止することが可能である。実際、相補的プロファイル１４、２４が係合しているときに、バッグ１の壁部１０、２０を離れるように動かす（すなわち、図４ｂ及び図４ｃの矢印Ｆのようにバッグ１の壁部１０、２０に垂直に）ことに由来する応力によって、支持ウェブ１２、２２と第２の壁部２０と相補的な壁部３０とが概して力Ｆの作用の方向に整合するまで、第２の壁部２０の引張り及び相補的な壁部３０の引張りと、第２の支持ウェブ２２の周りの閉鎖装置の回転とが生じる。この整合により、図２ｂに示すように、大人によってさえ、バッグ１を開けることが一切防止される。
【００８１】
第４及び第５の実施形態に従ってバッグ１を開けるために、本明細書で上述したように、通口４０を用いることが可能である。
【００８２】
変形例として、一実施形態において、バッグ１がこのような通口を備えないようにし得る。その場合に、支持ウェブ３０、３２を握って相補的プロファイル３４を相反する方向に動かす（せん断）ことが可能である。支持ウェブ３０、３２の自由端は第１の壁部１０の側部に固定されており、この握ることの作用は、これらの端部の１つの近傍において相補的プロファイル３４を分離することである。
【００８３】
支持ウェブ３０、３２を握ることによって開けることの困難さを、当該支持ウェブの高さ全体に亘って第１及び第２の壁部１０、２０の側部を溶着することにより調整することが可能である。
【００８４】
この困難さは、折返し１９及び／またはバッグ１の口に対する閉鎖装置の位置を変更することによっても調整することが可能である。実際、本出願人は、第２の支持ウェブ３２の下部３２ｂが折返し１９からより遠方に動くほど、相補的な壁部１６がバッグ１に作用する力を分散させやすく、握ることによって相補的プロファイルを分離することがより困難になることを見出した。（下部３２ｂにおける）相補的プロファイル３４の端部と折返し１９との間の距離は、例えば５乃至３０ｍｍ程度、典型的には２５ｍｍであり得る。
【００８５】
また、閉鎖装置が口に近いほど、ユーザ（大人または子供）は装置の相補的プロファイル３４をつかみやすく、またそれらの下部３０ｂ、３２ｂをつかみにくく、支持ウェブ３０、３２の相対的な変位、したがって当該支持ウェブのプロファイル３４の分離をより困難にする。この支持ウェブ３０、３２を握ることが、自然にはバッグ１の壁部１０、２０をつかみやすい子供にとって当然でないことは明らかである。しかも、壁部１０、２０の上端を押圧することによってバッグ１を開けることは、支持ウェブ３０、３２の回転に起因して、（バッグ１の閉鎖装置を壊さずには）可能でない。
【００８６】
また、支持ウェブ３０、３２を十分に握らなければバッグ１を開けるのに適切でない。しかし、このような力は子供には強すぎるため、バッグ１の内容物に手を伸ばすことができない。
【００８７】
本実施形態と無関係に、バッグ１の壁部１０、２０を半透明の（不透明の）材料で作製して、子供が壁部１０、２０を通して閉鎖センブリ３を見る可能性を低減することが可能である。
【００８８】
壁部１０、２０、支持ウェブ３０、３２、及び相補的な閉鎖要素３４を単一及び半透明の材料、特に、ポリプロピレンＰＰ、ポリエチレンテレフタレートＰＥＴ、ポリエチレンＰＥ、高密度ポリエチレンＨＤＰＥ、低密度ポリエチレンＬＤＰＥ、及びそれらが結合した共重合体、エチレン共重合体、及び／またはプロピレン共重合体のうちの１つで作製することが可能である。
【００８９】
変形例として、バッグ１のこれらの種々の要素を種々の材料で作製することが可能である。特定の、ただし非限定的な例は、ポリエチレンテレフタレート及び／またはポリエチレンで作製された第１の壁部１０及び第２の壁部２０と、ポリプロピレンで作製された閉鎖センブリ３（支持ウェブ３０、３２及び相補的な閉鎖要素３４）とを備えたバッグ１である。
【００９０】
また、第１及び第２の壁部１０、２０は、特に当該壁部を本明細書で上述した材料のうちの１つから形成する場合に、３０マイクロメートルと２００マイクロメートルとの間に含まれる、典型的には６０マイクロメートルから１５０マイクロメートル程度の厚さを有し得る。当然ながら、これらの壁部を種々の材料からなるいくつかの層を備えた複合材料で作製し得ることは明らかである。
【図１】
2018512342.tif 000003
【図２】
2018512342.tif 000004
【図３】
2018512342.tif 000005
【図４ａ】
2018512342.tif 000006
【図４ｂ】
2018512342.tif 000007
【図４ｃ】
2018512342.tif 000008
【図５】
2018512342.tif 000009
【図６ａ】
2018512342.tif 000010
【図６ｂ】
2018512342.tif 000011
【図７】
2018512342.tif 000012
【図８ａ】
2018512342.tif 000013
【図８ｂ】
2018512342.tif 000014
【図９】
2018512342.tif 000015
【図１０】
2018512342.tif 000016
【図１１】
2018512342.tif 000017
【国際調査報告】
2018512342.tif 000018
2018512342.tif 000019
2018512342.tif 000020
2018512342.tif 000021
2018512342.tif 000022
2018512342.tif 000023